(57)【要約】      （修正有）【課題】大屋根の開放状態を柔軟に調整できることで、音響効果を高めることができるとともに、大屋根全体としての形状のバリエーションの増大を図ることができるグランド型ピアノの大屋根装置を提供する。【解決手段】ピアノ本体の側板に取り付けられ、ピアノ本体の上面を開閉するための大屋根３を備えたグランド型ピアノの大屋根装置１であって、各々が左右方向に延びるとともに互いに前後方向に並設され、大屋根３を構成する複数の屋根片４と、側板に固定され、各屋根片４を、左右の一方の端部において、前後方向に水平に延びる第１軸線を中心として回動自在に支持するとともに屋根片４の延び方向に沿って延びる第２軸線７ａを中心として回動自在に支持する屋根片支持装置５と、を備える。【選択図】図１
2012208204.tif 000002
【特許請求の範囲】
【請求項１】
ピアノ本体の側板に取り付けられ、当該ピアノ本体の上面を開閉するための大屋根を備えたグランド型ピアノの大屋根装置であって、
各々が左右方向に延びるとともに互いに前後方向に並設され、前記大屋根を構成する複数の屋根片と、
前記側板に固定され、前記各屋根片を、左右の一方の端部において、前後方向に水平に延びる第１軸線を中心として回動自在に支持するとともに当該屋根片の延び方向に沿って延びる第２軸線を中心として回動自在に支持する屋根片支持装置と、
を備えていることを特徴とするグランド型ピアノの大屋根装置。
【請求項２】
前記屋根片支持装置は、前記屋根片ごとに設けられた複数の屋根片支持装置で構成されていることを特徴とする請求項１に記載のグランド型ピアノの大屋根装置。
【請求項３】
前記各屋根片支持装置は、前記各屋根片を、前記第１軸線を中心として任意の回動角度位置に保持可能なラチェット機構を有していることを特徴とする請求項２に記載のグランド型ピアノの大屋根装置。
【請求項４】
前記屋根片支持装置およびこれに支持された前記屋根片は、互いに嵌合しかつ相対的に回動自在に構成されるとともに前記第２軸線が中心を通る凹部および凸部の一方をそれぞれ有しており、
前記各屋根片は、前記凹部と前記凸部の接触面における摩擦力により、前記第２軸線を中心として任意の回動角度位置に保持可能に構成されていることを特徴とする請求項２または３に記載のグランド型ピアノの大屋根装置。
【発明の詳細な説明】
【技術分野】
【０００１】
本発明は、グランドピアノやグランド型の電子ピアノなどに適用され、ピアノ本体の上面を開閉するグランド型ピアノの大屋根装置に関する。
【背景技術】
【０００２】
図７は、従来の一般的な大屋根を備えたグランドピアノを示している。このグランドピアノ２１は、前部に鍵盤２２ａを有するとともにフレームや響板、弦などを内蔵するピアノ本体２２と、このピアノ本体２２の最上部に設けられた大屋根２３とを備えている。大屋根２３は、一般にラワン合板などからなり、大屋根後２４および大屋根前２５で構成されている。大屋根後２４は、低音側（左側）の奥行きが高音側（右側）のそれよりも長い所定形状に形成され、左端部において、前後２つの屋根角蝶番２６、２６を介して、ピアノ本体２２の側面を構成する側板２７の左部に回動自在に取り付けられている。また、大屋根後２４の下面の所定位置には、大屋根２３が開放された際に、後述する大屋根突揚げ棒３１の先端部が当接した状態でこれを受ける突揚げ棒受け皿２４ａが固定されている。一方、大屋根前２５は、平面形状が横長矩形状に形成されており、大屋根後２４の前端部に、大屋根蝶番２８を介して回動自在に取り付けられ、大屋根後２４に対して折り畳み可能になっている。
【０００３】
このように構成された大屋根２３は、グランドピアノ２１の非演奏時や保管時には、ピアノ本体２２の内部機構を保護するために、図７（ａ）に示すように、水平な状態で閉鎖される。一方、演奏時には、演奏音を前方の演奏者側に直接、伝えるようにしたり、演奏音を大屋根後２４の下面で反射させたりすることなどによって、より豊かな音量や響きを得るために、同図（ｂ）に示すように、大屋根２３が、大屋根突揚げ棒３１で支持されることによって、右上がりに傾斜した状態で開放される。また、グランドピアノの機種によっては、互いに長さが異なる複数（例えば３本）の大屋根突揚げ棒を備えているものもあり、このようなグランドピアノでは、大屋根２３を複数段（例えば３段）の開放角度位置に設定することが可能である。
【０００４】
また、上記のようなグランドピアノにおいて、大屋根を複数に分割したものとして、例えば特許文献１に開示されたものが知られている。このグランドピアノでは、大屋根後が、例えば前後２つに分割され、前側の屋根後前部および後ろ側の屋根後後部がそれぞれ、ピアノ本体の側板の左部に回動自在に取り付けられ、互いに独立して開閉可能に構成されている。また、このグランドピアノには、屋根後前部および屋根後後部にそれぞれ対応する２つの突揚げ棒が設けられており、各突揚げ棒によって、屋根後前部および屋根後後部が互いに異なる開放角度で支持されるようになっている。
【先行技術文献】
【特許文献】
【０００５】
【特許文献１】特開２００１−８３９６０号公報
【発明の概要】
【発明が解決しようとする課題】
【０００６】
しかし、屋根後を２分割した上記のグランドピアノでは、屋根後前部および屋根後後部が、左端部の回動支点を中心として、それぞれ所定の開放角度に開放されるにすぎない。そのため、このグランドピアノでは、その周囲の環境（ピアノの設置場所や設置空間の大きさなど）や、演奏される楽曲に対する大屋根の開放状態の柔軟性が低く、演奏時における音響効果を十分に得られるとは言えない。また、大屋根全体としての形状のバリエーションも多いとは言えない。
【０００７】
本発明は、以上のような課題を解決するためになされたものであり、大屋根の開放状態を柔軟に調整できることで、音響効果を高めることができるとともに、大屋根全体としての形状のバリエーションの増大を図ることができるグランド型ピアノの大屋根装置を提供することを目的とする。
【課題を解決するための手段】
【０００８】
上記の目的を達成するために、請求項１に係る発明は、ピアノ本体の側板に取り付けられ、ピアノ本体の上面を開閉するための大屋根を備えたグランド型ピアノの大屋根装置であって、各々が左右方向に延びるとともに互いに前後方向に並設され、大屋根を構成する複数の屋根片と、側板に固定され、各屋根片を、左右の一方の端部において、前後方向に水平に延びる第１軸線を中心として回動自在に支持するとともに屋根片の延び方向に沿って延びる第２軸線を中心として回動自在に支持する屋根片支持装置と、を備えていることを特徴とする。
【０００９】
この構成によれば、大屋根を構成する複数の屋根片の各々が、ピアノ本体の側板に固定された屋根片支持装置により、左右の一方の端部において回動自在に支持されている。具体的には、各屋根片は、前後方向に水平に延びる第１軸線を中心として回動自在であるので、ピアノ本体の上面を閉鎖する水平な状態に対する開放角度を調整することができる。加えて、各屋根片は、その延び方向に沿って延びる第２軸線を中心としても回動自在であるので、各屋根片の下面の向きも調整することができる。これらにより、大屋根の開放状態を、ピアノの周囲の環境や演奏される楽曲などに応じて、柔軟に調整することができ、それにより、演奏時における音響効果を高めることができる。また、大屋根全体としての形状のバリエーションの増大を図ることもできる。
【００１０】
請求項２に係る発明は、請求項１に記載のグランド型ピアノの大屋根装置において、屋根片支持装置は、屋根片ごとに設けられた複数の屋根片支持装置で構成されていることを特徴とする。
【００１１】
この構成によれば、屋根片支持装置が、屋根片ごとに設けられているので、大屋根の設計変更などによる屋根片の数の増減に、容易に対応することができる。また、屋根片支持装置のメンテナンスや故障時の交換などの際に、必要な屋根片支持装置のみをメンテナンスしたり、交換したりすることができる。
【００１２】
請求項３に係る発明は、請求項２に記載のグランド型ピアノの大屋根装置において、各屋根片支持装置は、各屋根片を、第１軸線を中心として任意の回動角度位置に保持可能なラチェット機構を有していることを特徴とする。
【００１３】
この構成によれば、屋根片支持装置のラチェット機構により、対応する屋根片を、第１軸線を中心とする任意の回動角度位置に保持できるので、屋根片を所望の開放角度位置に容易に調整することができる。また、各屋根片支持装置のみで、対応する屋根片を、開放状態に保持することができるので、従来と異なり、大屋根を支持する突揚げ棒を省略することができる。
【００１４】
請求項４に係る発明は、請求項２または３に記載のグランド型ピアノの大屋根装置において、屋根片支持装置およびこれに支持された屋根片は、互いに嵌合しかつ相対的に回動自在に構成されるとともに第２軸線が中心を通る凹部および凸部の一方をそれぞれ有しており、各屋根片は、凹部と凸部の接触面における摩擦力により、第２軸線を中心として任意の回動角度位置に保持可能に構成されていることを特徴とする。
【００１５】
この構成によれば、屋根片支持装置およびこれに支持された屋根片が、上記の凹部および凸部の一方をそれぞれ有しており、屋根片が、凹部と凸部の接触面による摩擦力により、第２軸線を中心とする任意の回動角度位置に保持される。このように、屋根片支持装置および屋根片に設けられた凹部および凸部による比較的簡単な構成により、屋根片の下面の向きを容易に調整することができる。
【図面の簡単な説明】
【００１６】
【図１】本発明の一実施形態によるグランドピアノの大屋根装置を示す斜視図であり、（ａ）は大屋根装置の全体図、（ｂ）は屋根片支持装置を拡大して示す図である。
【図２】屋根片支持装置のラチェット機構の一例を示す図である。
【図３】図２のラチェット機構の動作を示す図である。
【図４】開放された大屋根の一形態を示す斜視図であり、（ａ）は大屋根を上方から見たときの状態、（ｂ）は大屋根を下方から見たときの状態を示す。
【図５】開放された大屋根の他の一形態を示す斜視図であり、（ａ）は大屋根を上方から見たときの状態、（ｂ）は大屋根を下方から見たときの状態を示す。
【図６】開放された大屋根の他の一形態を示す斜視図であり、大屋根を上方から見たときの状態を示す。
【図７】従来の一般的な大屋根を備えたグランドピアノを示す斜視図であり、（ａ）は大屋根を閉鎖した状態、（ｂ）は大屋根を開放した状態を示す。
【発明を実施するための形態】
【００１７】
以下、図面を参照しながら、本発明の好ましい実施形態を詳細に説明する。図１（ａ）は、本発明の一実施形態によるグランド型ピアノの大屋根装置を示している。なお、この大屋根装置１は、前述した図７のグランドピアノ２１の大屋根２３に代えて、ピアノ本体２２に取り付けられるものである。
【００１８】
図１（ａ）に示すように、この大屋根装置１は、各々が左右方向に延びるとともに、互いに前後方向に並設され、全体として前記大屋根２３と同じ平面形状を有する大屋根３を構成する複数（本実施形態では７つ）の屋根片４と、屋根片４ごとに設けられ、対応する屋根片４を、その左端部において回動自在に支持する複数（本実施形態では７つ）の屋根片支持装置５とを備えている。
【００１９】
各屋根片４は、ラワン合板などで構成され、一般的な大屋根とほぼ同様の厚さを有するとともに、平面形状がほぼ横長矩形状に形成されている。図１（ｂ）に示すように、各屋根片４の左端部には、左方に開放する凹部４ａが形成されている。この凹部４ａは、屋根片４の前後方向の中央部に位置し、屋根片４の長さ方向に沿って所定長さ延びるとともに、断面が所定の径を有する円形に形成されており、屋根片支持装置５の後述する凸部７ａが嵌入されている。
【００２０】
図１（ｂ）に示すように、屋根片支持装置５は、ピアノ本体２２の側板２７に取り付けられる固定部６と、対応する屋根片４に取り付けられる可動部７と、これらの固定部６と可動部７を連結するとともに、可動部７に取り付けられた屋根片４を、所望の開放角度位置に保持するためのラチェット機構８とを備えている。このラチェット機構８は、固定部６に対し、屋根片４が取り付けられた可動部７を、基準となる水平な位置（以下「基準位置」という）から所定の回動角度（例えば６０度、屋根片４を開放する際の最大角度）までの角度範囲内において、任意の回動角度位置に保持可能であればよく、種々のものが採用可能である。
【００２１】
図２は、ラチェット機構８の一例を示している。同図に示すように、ラチェット機構８は、前後方向（図２の表裏方向）に水平に延びる支軸１１（第１軸線）を中心として回動自在に構成され、周縁部の所定範囲において多数の歯１２ａを有する回動体１２と、支軸１１と平行に延びる支軸１３を中心として回動自在に構成され、回動体１２の歯１２ａに噛み合い可能な複数の歯１４ａを有するロック爪１４とを備えている。回動体１２の複数の歯１２ａはいずれも、図２の時計方向に傾斜するように形成されている。一方、ロック爪１４は、図示しないばねによって、複数の歯１４ａが回動体１２の歯１２ａに噛み合うように回動する方向に付勢されている。したがって、ロック爪１４の歯１４ａが回動体１２の歯１２ａに噛み合った状態では、回動体１２を、支軸１１を中心として反時計方向にのみ回動させることが可能であり、また、回動体１２は、その回動した角度位置において、ロック爪１４により、時計方向への回動が阻止された状態にロックされる（図３（ａ）参照）。
【００２２】
なお、図示しないが、上記のラチェット機構８には、可動部７の回動角度に応じて、ロック爪１４を回動駆動するためのカムが設けられている。具体的には、このカムは、可動部７が基準位置から大きな所定の回動角度（例えば６０度、以下「ロック解除角度」という）を超えて回動したときに、ロック爪１４をばねの付勢力に抗して時計方向に回動するように押圧し、ロック爪１４の歯１４ａを回動体１２の歯１２ａから離れた状態に保持する（図３（ｂ）参照）。これにより、回動体１２の時計方向への回動が許容され、可動部７を基準位置まで戻すことが可能となる。また、カムは、可動部７が基準位置に戻ったときに、ロック爪１４への押圧を解除し、それにより、ロック爪１４は、ばねの付勢力によって反時計方向に回動して元の位置に戻り、ロック爪１４の歯１４ａが回動体１２の歯１２ａに再度、噛み合う（図３（ｃ）参照）。
【００２３】
また、可動部７には、上記ラチェット機構８の回動体１２の支軸１１と直交する方向に所定長さ延びる凸部７ａ（第２軸線）が設けられている。この凸部７ａは、断面円形に形成され、屋根片４の凹部４ａとほぼ同じ径を有しており、前述したように、屋根片４の凹部４ａに嵌入されている。また、屋根片４は、上記凸部７ａを中心として、手動で回動することが可能になっており、加えて、凹部４ａと凸部７ａの接触面における摩擦力により、回動した位置に保持可能になっている。
【００２４】
以上のように構成されたラチェット機構８および凸部７ａを備えた屋根片支持装置５により、各屋根片４は、閉鎖時の水平な状態に対し、所望の開放角度に開放することができるとともに、屋根片４の下面の向きを、演奏者側である前側寄りに設定したり、演奏者と反対側である後ろ側寄りに設定したりすることができる。
【００２５】
図４〜図６は、以上のように構成された大屋根装置１の大屋根３において、各屋根片４を開放した状態を例示している。図４では、演奏者に近い前側の屋根片４が、閉鎖時の水平な状態に対する開放角度が大きくなるように開放されるとともに、屋根片４の下面の向きが前側寄りに設定されている。また、図５では、前後方向の中央付近の屋根片４が、閉鎖時の水平な状態に対する開放角度が大きくなるように開放されるとともに、前側の屋根片４の下面の向きが後ろ側寄りに、後ろ側の屋根片４の下面の向きが前側寄りに設定されている。さらに、図６では、各屋根片４がほとんど開放されない状態で、前側の屋根片４の下面の向きが前側寄りに、後ろ側の屋根片４の下面の向きが後ろ側寄りに設定されている。
【００２６】
以上詳述したように、本実施形態によれば、大屋根３を構成する複数の屋根片４の各々が、閉鎖時の水平な状態に対し、所望の開放角度に開放できるとともに、屋根片の下面の向きも調整することができる。これにより、大屋根３の開放状態を、ピアノの周囲の環境や演奏される楽曲などに応じて、柔軟に調整することができ、それにより、演奏時における音響効果を高めることができる。また、大屋根３全体としての形状のバリエーションの増大を図ることもできる。
【００２７】
また、屋根片支持装置５が、屋根片４ごとに設けられているので、大屋根３の設計変更などによる屋根片４の数の増減に、容易に対応することができる。加えて、屋根片支持装置５のメンテナンスや故障時の交換などの際に、必要な屋根片支持装置５のみをメンテナンスしたり、交換したりすることができる。
【００２８】
さらに、屋根片支持装置５のラチェット機構８により、対応する屋根片４を、任意の回動角度位置に保持できるので、屋根片４を所望の開放角度位置に容易に調整することができる。また、各屋根片支持装置５のみで、対応する屋根片４を、開放状態に保持することができるので、従来と異なり、大屋根を支持する突揚げ棒を省略することができる。
【００２９】
なお、本発明は、説明した上記実施形態に限定されることなく、種々の態様で実施することができる。例えば、実施形態では、屋根片支持装置５を、屋根片４ごとに設けたが、各屋根片４を、左右いずれかの同一端部において支持する場合には、複数の屋根片支持装置５を一体に構成することも可能である。また、実施形態では、すべての屋根片４を、その左端部において屋根片支持装置５によって支持したが、すべての屋根片４を、その右端部において支持したり、隣接する屋根片４において互いに異なる左右の端部において支持したりすることも可能である。さらに、実施形態では、屋根片支持装置５側に凸部７ａを設ける一方、屋根片４側に凹部４ａを設けたが、これらの凹凸関係を逆にすることも可能である。
【００３０】
また、実施形態で示した屋根片４および屋根片支持装置５の細部の構成などは、あくまで例示であり、本発明の趣旨の範囲内で適宜、変更することができる。
【符号の説明】
【００３１】
１    大屋根装置
３    大屋根
４    屋根片
４ａ  屋根片の凹部
５    屋根片支持装置
６    屋根片支持装置の固定部
７    屋根片支持装置の可動部
７ａ  可動部の凸部（第２軸線）
８    ラチェット機構
１１    支軸（第１軸線）
２１    グランドピアノ
２２    ピアノ本体
２３    大屋根
２７    側板
【図１】
2012208204.tif 000003
【図２】
2012208204.tif 000004
【図３】
2012208204.tif 000005
【図４】
2012208204.tif 000006
【図５】
2012208204.tif 000007
【図６】
2012208204.tif 000008
【図７】
2012208204.tif 000009